(57)【要約】      （修正有）【課題】目地部を介して設けられた左右の建物の床目地部を、左右の建物が地震で異なる前後左右方向に揺れ動いても、隙間が生じることなくかつ損傷したりすることなく、床目地部を覆うことができる目地装置を提供する。【解決手段】目地部２を介して設けられた左右の建物３の外壁面３ａと床目地部４を介して設けられた床躯体５との間の床目地部４を、地震の揺れ動きを吸収できるように覆う床用目地プレート６を用いた左右の床用目地装置７と、外壁用目地装置８と、左右の床用目地装置７の目地部を覆うカバープレート９と、カバープレート９を外壁面３ａに当接するように付勢し、かつカバープレート９の中央部を目地部２の中央部に常時位置させる中央維持装置１０と、外壁面３ａにヒンジ部材を介して先端部が上方へ回動できるように取付けられた左右の押えプレート１２とで目地装置１を構成している。【選択図】図２
2014020121.tif 000002
【特許請求の範囲】
【請求項１】
目地部を介して設けられた左右の建物の外壁面と床目地部を介して設けられた床躯体との間の床目地部を、地震の揺れ動きを吸収できるように覆う床用目地プレートを用いた左右の床用目地装置と、前記左右の建物間の目地部を、該左右の建物が異なる前後左右方向に地震で揺れ動いても、その揺れ動きを吸収することができる外壁用目地装置と、前記左右の床用目地装置の目地部側の床用目地プレートの上面に両端部がスライド移動可能に支持された左右の床用目地プレート間の目地部を覆うカバープレートと、前記左右の建物の目地部側の外壁面に両端部が取付けられた、前記カバープレートを該外壁面に当接するように付勢し、かつカバープレートの中央部を目地部の中央部に常時位置させる中央維持装置と、前記カバープレートの両端部の前記左右の建物の外壁面側を覆うように、該外壁面にヒンジ部材を介して先端部が上方へ回動できるように取付けられた左右の押えプレートとからなることを特徴とする目地装置。
【請求項２】
カバープレートの左右の建物の外壁面側の中央部には半円弧状あるいは山形状の中央維持装置の取付片が形成されていることを特徴とする請求項１記載の目地装置。
【発明の詳細な説明】
【技術分野】
【０００１】
本発明は目地部を介して設けられた左右の建物の目地部を覆うとともに、左右の建物の外壁面との間に床目地部を介して設けられた床躯体との間の床目地部を覆う目地装置に関する。
【背景技術】
【０００２】
従来、左右の建物の壁面間の目地部を、地震で左右の建物が異なる前後方向に揺れ動いても、その揺れ動きを吸収する壁面用目地装置が実用化されている。
また、建物の外壁面と床目地部を介して設けられた床躯体との間の床目地部を、地震で前後左右方向に揺れ動いても、その揺れ動きを吸収する床用目地装置が実用化されている。
しかしながら、目地部を介して設けられた左右の建物の外壁面と、この左右の外壁面との間に床目地部を介して設けられた床躯体との間を覆う床用目地装置を設置すると、左右の建物間の目地部部位と対応する部位の床目地部に開口部が生じたり、該床目地部を覆うと地震時に損傷するため、設置することができないという欠点があった。
【先行技術文献】
【特許文献】
【０００３】
【特許文献１】特許第４９６９５５１号公報
【特許文献２】特許第４８３６８６０号公報
【発明の概要】
【発明が解決しようとする課題】
【０００４】
本発明は以上のような従来の欠点に鑑み、目地部を介して設けられた左右の建物の外壁面と床目地部を介して設けられた床躯体との間の床目地部を、左右の建物が地震で異なる前後左右方向に揺れ動いても、隙間が生じることなく、かつ損傷したりすることなく、目地部および床目地部を覆うことができる、構造が簡単で、容易に設置することができる目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の外壁面と床目地部を介して設けられた床躯体との間の床目地部を、地震の揺れ動きを吸収できるように覆う床用目地プレートを用いた左右の床用目地装置と、前記左右の建物間の目地部を、該左右の建物が異なる前後左右方向に地震で揺れ動いても、その揺れ動きを吸収することができる外壁用目地装置と、前記左右の床用目地装置の目地部側の床用目地プレートの上面に両端部がスライド移動可能に支持された左右の床用目地プレート間の目地部を覆うカバープレートと、前記左右の建物の目地部側の外壁面に両端部が取付けられた、前記カバープレートを該外壁面に当接するように付勢し、かつカバープレートの中央部を目地部の中央部に常時位置させる中央維持装置と、前記カバープレートの両端部の前記左右の建物の外壁面側を覆うように、該外壁面にヒンジ部材を介して先端部が上方へ回動できるように取付けられた左右の押えプレートとで目地装置を構成している。
【発明の効果】
【０００７】
以上の説明から明らかなように、本発明にあっては次に列挙する効果が得られる。
（１）請求項１により、左右の建物に取付けられた左右の床用目地装置の床用目地プレート間の目地部をカバープレートで覆うことができる。
したがって、床用目地プレート間に生ずる凹部をカバープレートで覆って、安全に使用することができる。
（２）前記（１）によって、左右の建物の壁面間および左右の建物の外壁面の床躯体との間を外壁用目地装置、左右の床用目地装置およびカバープレートで覆っているので、地震で左右の建物が異なる前後左右方向に揺れ動いても、その揺れ動きを凹部や隙間が生じることなく覆うことができ、安全に使用することができる。
（３）前記（１）によって、カバープレートを中央維持装置で左右の建物の外壁面に常時当接し、かつ左右の建物間の目地部の中央部にカバープレートの中央部が位置するので、左右の建物が地震で揺れ動いても、確実に左右の床用目地装置の左右の床用目地プレート間をカバープレートで覆うことができる。
（４）前記（１）によって、左右の建物の外壁面に取付けられた左右の床用目地装置の左右の床用目地プレートを、地震の揺れ動きでも衝突しない間隔をあけて設置してもカバープレートで覆うことができるので、地震でも衝突しない状態で左右の床用目地装置を設置することができる。
（５）請求項２も前記（１）〜（４）と同様な効果が得られるとともに、左右の建物が異なる前後方向に揺れ動いた場合に、左右の建物間の目地部を取付片で覆うことができるとともに、中央維持装置の取付けが容易にできる。
【図面の簡単な説明】
【０００８】
【図１】本発明を実施するための第１の形態の正面図。
【図２】図１の２−２線に沿う断面図。
【図３】本発明を実施するための第１の形態の左右の床用目地装置の取付状態の説明図。
【図４】図３の４−４線に沿う断面図。
【図５】本発明を実施するための第１の形態の外壁用目地装置の説明図。
【図６】本発明を実施するための第１の形態のカバープレートの取付状態の説明図。
【図７】本発明を実施するための第１の形態の目地部が狭くなった動作説明図。
【図８】本発明を実施するための第１の形態の目地部が広くなった動作説明図。
【図９】本発明を実施するための第１の形態の床目地部が狭くなった動作説明図。
【図１０】本発明を実施するための第１の形態の床目地部が広くなった動作説明図。
【図１１】本発明を実施するための第１の形態の左右の建物が地震で異なる前後方向に揺れ動く動作説明図。
【図１２】本発明を実施するための第２の形態の正面図。
【図１３】図１２の１３−１３線に沿う断面図。
【図１４】本発明を実施するための第２の形態の中央維持装置の説明図。
【図１５】本発明を実施するための第３の形態の正面図。
【図１６】図１５の１６−１６線に沿う断面図。
【図１７】本発明を実施するための第３の形態の外壁用目地装置の説明図。
【発明を実施するための形態】
【０００９】
以下、図面に示す本発明を実施するための形態により、本発明を詳細に説明する。
【００１０】
図１ないし図１１に示す本発明を実施するための第１の形態において、１は目地部２を介して設けられた左右の建物３、３の外壁面３ａ、３ａ間および、左右の建物３、３の外壁面３ａ、３ａと床目地部４を介して設けられた床躯体５との間を隙間や凹部が生じることなく覆うことができる本発明の目地装置で、この目地装置１は前記左右の建物３、３の外壁面３ａ、３ａと前記床躯体５との間の床目地部４で、前記左右の建物３、３の外壁面３ａ、３ａ間の床目地部４を除く部位を、地震の揺れ動きを吸収できるように覆う複数個の床用目地プレート６を用いた左右の床用目地装置７、７と、前記左右の建物３、３間の目地部２を該左右の建物３、３が異なる前後左右方向に揺れ動いても、その揺れ動きを吸収することができる外壁用目地装置８と、前記左右の床用目地装置７、７の目地部２側の床用目地プレート６、６の上面に両端部がスライド移動可能に支持された左右の床用目地プレート６、６間の目地部２を覆うカバープレート９と、前記左右の建物３、３の目地部２側の外壁面３ａ、３ａに両端部が取付けられた前記カバープレート９を、該外壁面３ａ、３ａに当接するように付勢し、かつカバープレート９の中央部を目地部２の中央部に常時位置させる中央維持装置１０と、前記カバープレート９の両端部の前記左右の建物３、３の外壁面３ａ、３ａ側を覆うように、該外壁面３ａ、３ａにヒンジ部材１１、１１を介して先端部が上方へ回動できるように取付けられた左右の押えプレート１２、１２とで構成されている。
【００１１】
前記左右の床用目地装置７、７は図３、図４に示すように、前記床躯体５の床目地部４側上面が開口し、かつ反床目地部４側が傾斜面１３、１３に形成された床用目地プレートスライド支持凹部１４、１４と、この床用目地プレートスライド支持凹部１４、１４と対応する前記左右の建物３、３の外壁面３ａ、３ａに形成された床用目地プレート支持凹部１５、１５と、この床用目地プレート支持凹部１５、１５に後端部が支持され、先端部が前記床用目地プレートスライド支持凹部１４、１４に支持された、わずかな隙間あるいは隙間が生じないように並列された複数個の床用目地プレート６、６と、この複数個の床用目地プレート６、６の後端部の両側部に底面が開口し、該部位の床用目地プレート支持凹部１５、１５に固定された係合ピン１６、１６が挿入される係合ピン挿入ボックス１７、１７とからなる床用目地プレート取付具１８、１８と、前記床用目地プレート６、６の先端部にヒンジ部材１９、１９を介して回動可能に取付けられたカバー板２０、２０とで構成され、前記床用目地プレート６は浅皿状の金属材で形成された床用目地プレート本体２１と、この床用目地プレート本体２１の後部両側に形成された底面が開口２２、２２する係合ピン挿入ボックス１７、１７と、前記床用目地プレート本体２１内に充填されたモルタルやコンクリート２３と、このモルタルやコンクリート２３の上面に、必要に応じて設置されるタイルやレンガ等の床化粧材２４とで構成されている。
【００１２】
前記外壁用目地装置８は図５に示すように、前記左右の建物３、３の外壁面３ａ、３ａに両端部がスライド移動可能に支持される、目地部２を覆う外壁用目地プレート２５と、この外壁用目地プレート２５の背面の上下部あるいは所定間隔で固定された取付金具２６、２６と、この取付金具２６、２６の中央部に固定された枢支軸２７、２７と、前記左右の建物３、３の目地部側の外側端部にヒンジ部材２８、２８を介して取付けられ、かつ前記枢支軸２７、２７が枢支される中央枢支部２９、２９を有する中央維持リンク機構３０、３０と、この中央維持リンク機構３０、３０の中央枢支部２９、２９より突出する枢支軸２７、２７に付勢スプリング３１、３１を介して取付けられたストッパー片３２、３２とで構成されている。
【００１３】
前記カバープレート９は図６に示すように、前記左右の床用目地装置７、７の目地部２側の床用目地プレート６、６を覆うことができるカバープレート本体３３と、このカバープレート本体３３の前記左右の建物３、３側の中央部に半円弧状あるいは山形形状で目地部２へ突出するように一体成形された取付片３４とで構成されている。
【００１４】
前記中央維持装置１０は図２に示すように、前記取付片３４とほぼ同じ高さ位置となるように、前記左右の建物３、３の目地部側の外壁面３ａ、３ａにヒンジ部材３５、３５を介して取付けられた四角リンク形状の中央維持リンク機構３６と、この中央維持リンク機構３６の枢支部３７、３７に一端部がそれぞれ枢支され、他端部が前記取付片３４に枢支された連結棒３８と、この連結棒３８を常時前記カバープレート９が外壁面３ａ、３ａに当接するように付勢する、前記中央維持リンク機構３６の枢支部３７より突出した部位にストッパー３９を介して取付けられた付勢スプリング４０とで構成されている。
【００１５】
上記構成の目地装置１は、左右の建物３、３の外壁面３ａ、３ａ間の目地部２は外壁用目地装置８で覆われるとともに、左右の建物３、３の外壁面３ａ、３ａと床目地部４を介して設けられた床躯体５との間は左右の床用目地装置７、７、該左右の床用目地装置７、７の目地部側の床用目所プレート６、６間を覆うカバープレート９によって、目地部２および床目地部４が完全に覆われた状態となっている。
【００１６】
地震で左右の建物３、３が揺れ動き、目地部２が狭くなった場合、図７に示すように外壁用目地装置８の中央維持リンク機構３０、３０は収縮するが、取付金具２６、２６の中央部は目地部２の中央部に位置しているため、外壁用目地プレート２５の両端部は左右の建物３、３の外壁面３ａ、３ａを覆う面積が大きくなるようにスライド移動して、その揺れ動きを吸収する。
【００１７】
また、左右の床用目地装置７、７の目地部側の床用目地プレート６、６も目地部２側へスライド移動するが、該床用目地プレート６、６上をスライド移動するカバープレート９が中央維持装置１０で、中央部が目地部２の中央部に位置するようになっているため隙間や凹部が生じることなく、床目地部４を覆っていて、安全に走行等をすることができる。
【００１８】
地震で左右の建物３、３が揺れ動き、目地部２が広くなった場合、図８に示すように外壁用目地装置８の中央維持リンク機構３０、３０は伸長するが、取付金具２６、２６の中央部は目地部２の中央部に位置しているため、外壁用目地プレート２５の両端部は左右の建物３、３の外壁面３ａ、３ａを覆う面積が小さくなるようにスライド移動して、その揺れ動きを吸収する。
【００１９】
また、左右の床用目地装置７、７の目地部側の床用目地プレート６、６も反目地部２側へスライド移動するが、該床用目地プレート６、６上をスライド移動するカバープレート９が中央維持装置１０で、中央部が目地部２の中央部に位置するようになっているため隙間や凹部が生じることなく、床目地部４を覆っていて安全に走行等をすることができる。
【００２０】
地震で左右の建物３、３が揺れ動き、床目地部４が狭くなった場合、図９に示すように左右の床用目地装置７、７の床用目地プレート６、６の先端部が、目地プレートスライド支持凹部１４の傾斜面１３に沿って床躯体５の上方へスライド移動して、その揺れ動きを吸収するため、床目地部４に隙間や凹部が生じることがない。
【００２１】
地震で左右の建物３、３が揺れ動き、床目地部４が広くなった場合、図１０に示すように左右の床用目地装置７、７の床用目地プレート６、６の先端部が床用目地プレートスライド支持凹部１４上をスライド移動して、そのゆれ動きを吸収するため、床目地部４に隙間や凹部が生じることなく、床用目地プレート６、６の先端部に床用目地プレートスライド支持凹部１４との間に生じる凹部だけとなり、安全に使用することができる。
【００２２】
地震で左右の建物３、３が異なる前後方向に揺れ動くと、図１１に示すように外壁用目地装置８の中央維持リンク機構３０はヒンジ部材２８、２８部分で回動し、外壁用目地プレート２５の両端部は左右の建物３、３の外壁面３ａ、３ａに当接するように付勢スプリング３１、３１で付勢された状態を保っている。
【００２３】
また、カバープレート９も中央維持装置１０の付勢スプリング４０によって、左右の建物３、３の外壁面３ａ、３ａに当接するように回動するとともに、左右の床用目地装置７、７は床目地部４が狭くなったり、広くなったりするため、前述の動作でその揺れ動きを吸収することができ、床目地部４に隙間や凹部が生じるのを防止できる。
【００２４】
カバープレート９の先端部が床用目地プレート６、６によって押し上げられる場合が生じるが、この場合、左右の押えプレート１２、１２がヒンジ部材１１、１１で回動するため、カバープレート９の動きを阻止するような力が働くのを効率よく阻止することができる。
【００２５】
なお、地震での揺れ動きが停止すると、自動的に元の状態へ左右の床用目地装置７、７、外壁用目地装置８、カバープレート９および左右の押えプレート１２、１２が戻る。
【００２６】
[発明を実施するための異なる形態]
次に、図１２ないし図１７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２７】
図１２ないし図１４に示す本発明を実施するための第２の形態において、前記本発明を実施するための第１の形態と主に異なる点は、四角リンク形状の中央維持リンク機構３６、３６を並列配置し、連結棒３８を該中央維持リンク機構３６、３６の枢支部３７、３７に枢支させ、端部に付勢スプリング４０を配置して、常時左右の建物３、３側へカバープレート９を付勢するとともに、常時目地部２の中央部にカバープレート９の中央部を位置させるとともに、カバープレート９を左右の建物３、３の外壁面３ａ、３ａに常時当接するように付勢することができる中央維持装置１０Ａを用いた点で、このような中央維持装置１０Ａを用いた目地装置１Ａにしても、前記本発明を実施するための第１の形態と同様な作用効果が得られる。
【００２８】
図１５ないし図１７に示す本発明を実施するための第３の形態において、前記本発明を実施するための第１の形態と主に異なる点は、左右の建物３、３の目地部２側の外壁面３ａ、３ａにヒンジ部材２８、２８を介して取付けられた複数個のパンタグラフ形状の中央維持リンク機構３０Ａ、３０Ａ、３０Ａと、この中央維持リンク機構３０Ａ、３０Ａ、３０Ａの中央枢支部２９、２９、２９に枢支状態で取付けられた取付金具２６Ａ、２６Ａ、２６Ａと、この取付金具２６Ａ、２６Ａ、２６Ａに取付けられた目地部２の中央部を覆うコ字状の中央目地カバー４１と、一端部が中央維持リンク機構３０Ａ、３０Ａ、３０Ａの一方の端部のヒンジ部材２８、２８、２８に取付けられ、他端部が前記中央目地カバー４１の中央部の底面に当接するように傾斜面４２が形成された一方の固定目地カバー４３と、一端部が中央維持リンク機構３０Ａ、３０Ａ、３０Ａの他方の端部のヒンジ部材２８、２８、２８に取付けられ、他端部が前記一方の固定目地カバー４３の先端部と重なり合う他方の固定目地カバー４４と、この他方の固定目地カバー４４と外壁面３ａおよび前記一方の固定目地カバー４３と外壁面３ａとの間に充填されたシール剤４５、４５とで構成された外壁用目地装置８Ａを用いた点で、このような外壁用目地装置８Ａを用いて構成した目地装置１Ｂにしても、前記本発明を実施するための第１の形態と同様な作用効果が得られる。
【００２９】
なお、前記本発明を実施するための各形態で外壁用目地装置８、８Ａを用いたものについて説明したが、本発明はこれに限らず、左右の建物３、３が異なる前後左右方向に地震で揺れ動いても、その揺れ動きを吸収することができる既存の構造の外壁用目地装置を用いてもよい。
【００３０】
また、本発明の実施の形態では左右の床用目地装置７の床用目地プレート取付具１８、１８として、係合ピン１６、１６を用いるものについて説明したが、本発明はこれに限らず、ヒンジ部材や床用目地プレート６の後端部の底面に下方へ突出するバー部材を固定し、このバー部材を回動可能に支持するレール状の支持具を用いた床用目地プレート取付具を用いてもよい。
【産業上の利用可能性】
【００３１】
本発明は左右の建物間に目地部を形成するとともに、左右の建物の外壁面と床躯体との間に床目地部が形成された部位の目地部および床目地部を覆う目地装置を製造する産業で利用される。
【符号の説明】
【００３２】
１、１Ａ、１Ｂ：目地装置、  ２：目地部、
３：建物、        ３ａ：外壁面、
４：床目地部、        ５：床躯体、  
６：床用目地プレート、    ７：床用目地装置、
８、８Ａ：外壁用目地装置、  ９：カバープレート、
１０、１０Ａ：中央維持装置、  １１：ヒンジ部材、
１２：押えプレート、    １３：傾斜面、
１４：床用目地プレートスライド支持凹部、
１５：床用目地プレート支持凹部、
１６：係合ピン、      １７：係合ピン挿入ボックス、  
１８：床用目地プレート取付具、  １９：ヒンジ部材、
２０：カバー板、      ２１：床目地プレート本体、
２２：開口部、      ２３：モルタルやコンクリート、
２４：床化粧材、      ２５：外壁用目地プレート、
２６、２６Ａ：取付金具、    ２７：枢支軸、
２８：ヒンジ部材、      ３０：中央維持リンク機構、
３１：付勢スプリング、    ３２：ストッパー片、
３３：カバープレート本体、  ３４：取付片、
３５：ヒンジ部材、      ３６：中央維持リンク機構、
３７：枢支部、      ３８：連結棒、
３９：ストッパー、      ４０：付勢スプリング、
４１：中央目地カバー、    ４２：傾斜面、
４３：一方の固定目地カバー、  ４４：他方の固定目地カバー、
４５：シール剤。
【図１】
2014020121.tif 000003
【図２】
2014020121.tif 000004
【図３】
2014020121.tif 000005
【図４】
2014020121.tif 000006
【図５】
2014020121.tif 000007
【図６】
2014020121.tif 000008
【図７】
2014020121.tif 000009
【図８】
2014020121.tif 000010
【図９】
2014020121.tif 000011
【図１０】
2014020121.tif 000012
【図１１】
2014020121.tif 000013
【図１２】
2014020121.tif 000014
【図１３】
2014020121.tif 000015
【図１４】
2014020121.tif 000016
【図１５】
2014020121.tif 000017
【図１６】
2014020121.tif 000018
【図１７】
2014020121.tif 000019